(57)【要約】【課題】  画質を向上させることができるとともに、消費電力を低減させることができる液晶表示装置の駆動方法および駆動回路を提供する。【解決手段】  各フレームとして示されている縦一列に相当する表示領域がＮ個の領域に分けられている。全ライン数をＬとすると、Ｎは、２≦Ｎ≦Ｌの範囲で選択可能である。Ｎ個の領域のうち、任意のｍ（１≦ｍ＜Ｎ）個の領域の液晶をライン反転駆動法で駆動する。残りの（Ｎ−ｍ）個の領域の液晶をフレーム反転駆動法で駆動する。ライン反転領域の位置は、２フレームが経過すると変えられる。その２フレームのうち最初のフレームにおいて正極性で駆動されたラインは、次のラインでは負極性で駆動され、最初のフレームにおいて負極性で駆動されたラインは、次のフレームにおいて正極性で駆動される。【選択図】  図２
2005338462.tif 000002
【特許請求の範囲】
【請求項１】
複数の走査電極と複数のデータ電極とがマトリクス状に配置された液晶表示パネルを駆動する駆動方法において、
走査電極数をＬとして、前記液晶表示パネルの表示領域をＮ（２≦Ｎ≦Ｌ）の領域に分け、
Ｎの領域のうちのｍ（１≦ｍ＜Ｎ）の領域をライン反転駆動法で駆動し、
他の（Ｎ−ｍ）の領域をフレーム反転駆動法で駆動する
ことを特徴とする液晶表示装置の駆動方法。
【請求項２】
連続する偶数個のフレームにおいてライン反転駆動法で駆動する領域を同じ領域とし、
前記連続する偶数個のフレームが終了すると、ライン反転駆動法で駆動する領域を、表示領域における他の領域に設定し、
前記表示領域における全ての領域について、連続する偶数個のフレームにおいてライン反転駆動法で駆動すると、１シーケンスを終了する
請求項１記載の液晶表示装置の駆動方法。
【請求項３】
複数の走査電極と複数のデータ電極とがマトリクス状に配置された液晶表示パネルを駆動する駆動回路において、
各走査電極に順次選択電圧を印加する走査電極ドライバと、
前記走査電極ドライバによる走査電極への選択電圧の印加に同期して各データ電極にデータ電圧を印加するデータ電極ドライバと、
走査電極数をＬとして前記液晶表示パネルをＮ（２≦Ｎ≦Ｌ）の領域に分けた場合の、Ｎの領域のうちのｍ（１≦ｍ＜Ｎ）の領域をライン反転駆動法で駆動させ、他の（Ｎ−ｍ）の領域をフレーム反転駆動法で駆動させることを指示する指示信号を、前記走査電極ドライバおよび前記データ電極ドライバに出力する制御回路とを備えた
ことを特徴とする液晶表示装置の駆動回路。
【請求項４】
制御回路は、走査電極ドライバおよびデータ電極ドライバに、連続する偶数個のフレームにおいて表示領域における同じ領域をライン反転駆動法で駆動させ、前記連続する偶数個のフレームが終了すると、表示領域における他の領域を連続する偶数個のフレームにおいてライン反転駆動法で駆動させる
請求項３記載の液晶表示装置の駆動回路。
【発明の詳細な説明】
【技術分野】
【０００１】
本発明は、交流駆動を用いた液晶表示装置の駆動方法および駆動回路に関する。
【背景技術】
【０００２】
液晶表示パネルを直流電圧で駆動すると寿命が短くなる等の理由で、一般に、液晶表示パネルを駆動する駆動方法として交流駆動が用いられる。線順次駆動を用いる場合、交流駆動として、走査される走査電極が切り替わる毎に液晶に印加される電圧を反転させるライン反転駆動法や、フレーム毎に液晶に印加される電圧を反転させるフレーム反転駆動法などがある。なお、フレームは、全ての走査電極が１回走査されるのに要する期間を意味する。
【０００３】
ＴＦＴ（Thin Film Transistor）を用いた液晶表示パネルを、フレーム反転駆動法を用いて駆動する場合には、データ電極（ソース電極）に印加されるデータ電圧の極性を反転させる。また、駆動電圧が大きくなることを防止するために、コモン電極に印加されるコモン電圧の極性も反転させ、かつ、コモン電圧とデータ電圧とが逆極性になるように駆動することが一般的である。ライン反転駆動法を用いて駆動する場合には、走査される走査電極が切り替わる毎にデータ電圧の極性を反転させる。また、フレーム反転駆動法を用いて駆動する場合と同様に、コモン電極に印加されるコモン電圧の極性も、走査される走査電極が切り替わる毎に反転させる。
【０００４】
ライン反転駆動法を用いると、フレーム反転駆動法を用いる場合に比べて、画質が改善することが知られている。特に、クロストークが低減する（例えば、特許文献１参照。）。
【０００５】
【特許文献１】特開２００３−２８０６０１号公報（段落００１０−００１１、図３６、図３８）
【発明の開示】
【発明が解決しようとする課題】
【０００６】
しかし、ライン反転駆動法を用いると、いわゆる振り筋が観察される場合がある。また、ライン反転駆動法では、走査される走査電極が切り替わる毎にデータ電圧およびコモン電極に印加される電圧の極性を変えるので、ソースドライバにおける信号周波数が高くなるとともに、コモン電圧の切替周波数が高くなるので、消費電力が増大する。従って、低消費電力が求められる携帯機器に搭載される液晶表示パネルを駆動するには向いていない。
【０００７】
そこで、本発明は、フレーム反転駆動法を用いる場合に比べて画質を向上させることができるとともに、ライン反転駆動法を用いる場合に比べて消費電力を低減することができる液晶表示装置の駆動方法および駆動回路を提供することを目的とする。
【課題を解決するための手段】
【０００８】
本発明による液晶表示装置の駆動方法は、複数の走査電極と複数のデータ電極とがマトリクス状に配置された液晶表示パネルを駆動する駆動方法であって、液晶表示パネルの表示領域をＮ（２≦Ｎ≦Ｌ（走査電極数））の領域に分け、Ｎの領域のうちのｍ（１≦ｍ＜Ｎ）の領域をライン反転駆動法で駆動し、他の（Ｎ−ｍ）の領域をフレーム反転駆動法で駆動することを特徴とする。
【０００９】
連続する偶数個のフレームにおいてライン反転駆動法で駆動する領域を同じ領域とし、連続する偶数個のフレームが終了するとライン反転駆動法で駆動する領域を表示領域における他の領域に設定し、表示領域における全ての領域について連続する偶数個のフレームにおいてライン反転駆動法で駆動すると１シーケンスを終了することが好ましい。
【００１０】
本発明による液晶表示装置の駆動回路は、複数の走査電極と複数のデータ電極とがマトリクス状に配置された液晶表示パネルを駆動する駆動回路にであって、各走査電極に順次選択電圧を印加する走査電極ドライバと、走査電極ドライバによる走査電極への選択電圧の印加に同期して各データ電極にデータ電圧を印加するデータ電極ドライバと、液晶表示パネルをＮ（２≦Ｎ≦Ｌ（走査電極数））の領域に分けた場合の、Ｎの領域のうちのｍ（１≦ｍ＜Ｎ）の領域をライン反転駆動法で駆動させ、他の（Ｎ−ｍ）の領域をフレーム反転駆動法で駆動させることを指示する指示信号を、走査電極ドライバおよびデータ電極ドライバに出力する制御回路とを備えたことを特徴とする。
【００１１】
制御回路は、走査電極ドライバおよびデータ電極ドライバに、連続する偶数個のフレームにおいて表示領域における同じ領域をライン反転駆動法で駆動させ、連続する偶数個のフレームが終了すると、表示領域における他の領域を連続する偶数個のフレームにおいてライン反転駆動法で駆動させることが好ましい。
【発明の効果】
【００１２】
本発明によれば、液晶表示パネルの表示領域における一部の領域をライン反転駆動法で駆動し、他の領域をフレーム反転駆動法で駆動するので、フレーム反転駆動法を用いる場合に比べて画質を向上させることができるとともに、ライン反転駆動法を用いる場合に比べて消費電力を低減することができる。
【発明を実施するための最良の形態】
【００１３】
以下、本発明の実施の形態を図面を参照して説明する。図１は、本発明の概念を説明するための説明図である。図１において、３つの矩形は、それぞれ液晶表示パネルにおける表示領域を示す。表示領域には、ライン反転駆動法で駆動される領域であるライン反転領域（図１における斜線が施された領域）が設定され、表示領域におけるその他の領域はフレーム反転駆動法で駆動される。フレーム反転駆動法で駆動される領域をフレーム反転領域という。表示領域において、ライン反転領域のサイズすなわちライン反転領域の走査線数（ライン数）は一定であるが、図１には、時間の経過に伴って、表示領域におけるライン反転領域の位置が変わることが示されている。
【００１４】
図２は、本発明の概念をより詳しく説明するための説明図である。図２（Ａ），（Ｂ）のそれぞれにおいて、各フレームとして示されている縦一列（図２（Ａ）では６個の矩形領域を含む縦一列、図２（Ｂ）では３個の矩形領域からなる縦一列）が、表示領域に相当する。図２（Ａ）に示すように、表示領域はＮ個の領域に分けられている。全ライン数をＬとすると、Ｎは、２≦Ｎ≦Ｌの範囲で選択可能である。そして、Ｎ個の領域のうち、任意のｍ（１≦ｍ＜Ｎ）個の領域の液晶をライン反転駆動法で駆動する。残りの（Ｎ−ｍ）個の領域の液晶をフレーム反転駆動法で駆動する。なお、図２（Ａ）に示す例は、ｍ＝１の例である。
【００１５】
ライン反転領域の位置は、２フレームが経過すると変えられる。その２フレームのうち最初のフレームにおいて正極性で駆動されたラインは、次のフレームでは負極性で駆動される。逆に、最初のフレームにおいて負極性で駆動されたラインは、次のフレームにおいて正極性で駆動される。
【００１６】
なお、以下の説明において、正極性で駆動するとは、コモン電圧が、コモン電圧センタ（正極性時の電圧と負極性時の電圧との中間の電圧）よりも高いことを意味し、負極性で駆動するとは、コモン電圧が、コモン電圧センタよりも低いことを意味する。また、データ電圧は、コモン電圧と逆極性とされる。
【００１７】
そして、表示領域における全ての領域が２フレームの期間においてライン反転駆動法で駆動されると、本発明の駆動法のシーケンスが完了する。１シーケンスにおける全てのフレームの駆動が完了すると、次の各フレームについて、同様の駆動が実行される。すなわち、第（２Ｎ＋１）〜第［２×（２Ｎ）］フレームについて、Ｎ個の領域のうちｍ（１≦ｍ＜Ｎ）個の領域の液晶をライン反転駆動法で駆動し、（Ｎ−ｍ）個の領域の液晶をフレーム反転駆動法で駆動する。なお、図２に示す例では、ライン反転領域の位置は２フレームが経過すると変えられるが、４以上の偶数フレームの期間が経過すると、ライン反転領域の位置を変えるようにしてもよい。ｍ＝１で、２フレームが経過するとライン反転領域の位置が変えられる場合には、２×Ｎのフレームで１つのシーケンスが完了する。
【００１８】
図２（Ｂ）は、Ｎ＝３、ｍ＝１で、２フレームが経過するとライン反転領域の位置が変えられる場合の例である。この場合には、６フレームで１つのシーケンスが完了する。なお、表示領域を図２（Ａ）のように全ラインに分割する（Ｎ＝Ｌ）よりも、図２（Ｂ）に示すように全ライン数より少ない数に分けた方（Ｎ＜Ｌ）が好ましい。特に、フレーム反転領域内には、複数のラインが存在するように分けた方が好ましい。
【００１９】
図３は、本発明による駆動法を実現するための駆動回路の一構成例を示すブロック図である。図３に示す例では、ＴＦＴがマトリクス状に配され、画素電極とコモン電極との間に液晶が挟持されたＴＦＴ型の液晶表示パネル１０が用いられている。液晶表示パネル１０を駆動する駆動回路は、液晶表示パネル１０における同列のＴＦＴのソースに接続されるデータ電極としての各ソース電極（ソース配線）が繋がれたソースドライバ（データ電極ドライバ）１２、液晶表示パネル１０における同行のＴＦＴのゲートに接続される走査電極としての各ゲート電極（ゲート配線）が繋がれたゲートドライバ（走査電極ドライバ）１３、データ電圧を作成するための電圧をソースドライバ１２に供給するとともに、選択電圧と非選択電圧とを作成するための電圧をゲートドライバ１３に供給する電源回路１４が設けられている。
【００２０】
また、この実施の形態では、ゲートドライバ１３が内蔵するコモン電圧出力部１３１が、液晶表示パネル１０のコモン電極（コモン配線）に正極性または負極性のコモン電圧ＶＣＯＭＨ，ＶＣＯＭＬを印加する。従って、電源回路１４からゲートドライバ１３に、コモン電圧を作成するための電圧が供給される。
【００２１】
制御回路としてのコントローラ１１は、ソースドライバ１２およびゲートドライバ１３に、フレームの開始を示す信号であるＦＬＭ（First Line Marker ）信号を出力するとともに、各選択期間（１本のゲート線に選択電圧が印加される期間）毎に、ＬＰ（Latch Pulse ）信号を出力する。また、この実施の形態では、駆動回路の外部から入力されたデータ信号が、コントローラ１１を介してソースドライバ１２に出力される。さらに、コントローラ１１は、ソースドライバ１２およびゲートドライバ１３に、極性を示す信号であるＭ信号を出力する。Ｍ信号は、各選択期間毎に出力されるとする。なお、Ｍ信号は、Ｎ（２≦Ｎ≦Ｌ）の領域のうちのｍ（１≦ｍ＜Ｎ）の領域をライン反転駆動法で駆動させ、他の（Ｎ−ｍ）の領域をフレーム反転駆動法で駆動させることを指示する指示信号に相当する。
【００２２】
ゲートドライバ１３は、カウンタを内蔵し、ＦＬＭ信号が入力されるとカウンタをリセットし、ＬＰ信号が入力されるとカウンタの値を＋１する。そして、カウンタの値が示すゲート線にＴＦＴのゲートを導通状態にさせるための選択電圧を印加し、他のゲート線にＴＦＴのゲートを遮断状態にさせるための非選択電圧を印加する。また、ゲートドライバ１３は、Ｍ信号が正極性を示していれば正極性のコモン電圧をコモン線に印加し、Ｍ信号が負極性を示していれば負極性のコモン電圧をコモン線に印加する。
【００２３】
ソースドライバ１２は、ＬＰ信号が入力されると、データ信号をラッチするとともに、ラッチしているデータ信号に応じたデータ電圧をソース線に印加する。ゲートドライバ１３はＬＰ信号に同期してゲート線に選択電圧を印加するので、ソースドライバ１２は、ゲート線への選択電圧の印加に同期して各ソース線にデータ電圧を印加することになる。このとき、Ｍ信号が正極性を示していれば、正極性のコモン電圧に対応する極性のデータ信号（負極性のデータ電圧）を印加し、Ｍ信号が負極性を示していれば、負極性のコモン電圧に対応する極性のデータ信号（正極性のデータ電圧）を印加する。
【００２４】
図４は、各フレームにおける各選択期間のＭ信号の極性の一例を示す説明図である。図４には、全ライン数Ｌが９である場合の例が示されている。従って、１フレームは第１〜第９の選択期間で構成される。それぞれの選択期間において、第１〜第９ラインのいずれかが順次に選択され、ゲート線に選択電圧が印加される。また、図４では、Ｎ＝３すなわち表示領域が３分割され、２フレームが経過するとライン反転領域の位置が変えられる場合の例が示されている。また、Ｍ＝１は正極性で駆動することを示し、Ｍ＝０は負極性で駆動することを示す。
【００２５】
図４に示すように、第１フレームでは、第１ラインすなわち第１の選択期間では液晶表示パネル１０は負極性で駆動され、第１〜第３ラインについてライン反転駆動法で駆動されるようにＭ信号が設定される。また、第２フレームでは、第１ラインが正極性で駆動され、第１〜第３ラインについてライン反転駆動法で駆動されるようにＭ信号が設定される。第１および第２フレームにおいて、第４〜第９ラインはフレーム反転領域であって、フレーム反転駆動法で駆動されるようにＭ信号が設定される。具体的には、第１フレームでは、第４〜第９ラインで形成される表示領域について正極性で駆動され、第２フレームでは、その表示領域について負極性で駆動されるようにＭ信号が設定される。
【００２６】
第３フレームでは、第４ラインが負極性で駆動され、第４〜第６ラインについてライン反転駆動法で駆動されるようにＭ信号が設定される。また、第４フレームでは、第４ラインが正極性で駆動され、第４〜第６ラインについてライン反転駆動法で駆動されるようにＭ信号が設定される。第３および第４フレームにおいて、第１〜第３および第７〜第９ラインはフレーム反転領域であって、フレーム反転駆動法で駆動されるようにＭ信号が設定される。具体的には、第３フレームでは、第１〜第３および第７〜第９ラインで形成される表示領域について正極性で駆動され、第４フレームでは、その表示領域について負極性で駆動されるようにＭ信号が設定される。
【００２７】
第５フレームでは、第７ラインが負極性で駆動され、第７〜第９ラインについてライン反転駆動法で駆動されるようにＭ信号が設定される。また、第６フレームでは、第７ラインが正極性で駆動され、第７〜第９ラインについてライン反転駆動法で駆動されるようにＭ信号が設定される。第５および第６フレームにおいて、第１〜第６ラインはフレーム反転領域であって、フレーム反転駆動法で駆動されるようにＭ信号が設定される。具体的には、第１フレームでは、第１〜第６ラインで形成される表示領域について正極性で駆動され、第６フレームでは、その表示領域について負極性で駆動されるようにＭ信号が設定される。
【００２８】
図４に示された各選択期間のＭ信号の極性を示すデータは、例えば、コントローラ１１にデータテーブルとして設定される。
【００２９】
次に、図５のフローチャートを参照して、コントローラ１１の動作を説明する。この実施の形態では、コントローラ１１は、フレーム数を計数するためのフレームカウンタと、各フレームにおけるライン数を計数するためのラインカウンタを有している。
【００３０】
まず、コントローラ１１は、フレームカウンタに初期値として「１」を設定する（ステップＳ１）。そして、フレーム開始タイミングが到来すると（ステップＳ２）、フレームカウンタの値が示すテーブルを選択する（ステップＳ３）。フレームカウンタの値が「１」であれば、図４に例示したデータテーブルにおける左上段の第１フレーム用のテーブルを選択する。また、ラインカウンタに初期値として「１」を設定する（ステップＳ４）。なお、このとき、コントローラ１１は、ＦＬＭ信号を出力する。
【００３１】
次いで、ＬＰ信号の出力タイミングが到来すると（ステップＳ５）、ステップＳ３で選択したテーブルから、ラインカウンタの値が示すデータを入力する（ステップＳ６）。ラインカウンタの値が「１」であれば、第１ライン用のデータを入力する。そして、テーブルから入力したデータを、Ｍ信号として出力するとともに、ＬＰ信号を出力する（ステップＳ７）。なお、ＬＰ信号の出力タイミングは、１選択期間が経過すると到来したことになる。
【００３２】
次に、コントローラ１１は、ラインカウンタの値を＋１する（ステップＳ８）。ラインカウンタの値が全ライン数としてのＬを越えた場合には（ステップＳ９）、次のフレームの制御を開始するためにステップＳ１０に移行する。ラインカウンタの値がＬを越えていなければ、ステップＳ５に戻る。
【００３３】
ステップＳ１０では、フレームカウンタの値を＋１する。フレームカウンタの値が２×Ｎを越えている場合には、１シーケンスが終了したことになるので、次シーケンスを開始するためにステップＳ１に戻る。フレームカウンタの値が２×Ｎを越えていなければ、ステップＳ２に戻り、次のフレームの制御を開始する。なお、図４に例示されたデータテーブルを用いる場合には、Ｎ＝３であるから、２×Ｎは６である。また、ステップＳ２において、フレーム開始タイミングは、前回のフレーム開始タイミングからフレーム周波数で決まる期間（周期）が経過したら到来することになる。
【００３４】
以上のような処理によって、図２（Ｂ）に示されたように、ライン反転領域を空間的に分散させた駆動法を実現できる。なお、以上に説明した制御方法および駆動回路の構成は一例であって、表示領域における一部の領域をライン反転領域に設定し、表示領域におけるその他の領域をフレーム反転領域に設定し、時間の経過に伴って、表示領域におけるライン反転領域の位置が変わるように制御できれば。他の制御方法や駆動回路を用いてもよい。例えば、ライン反転駆動法を用いて液晶表示パネル１０を駆動する一般的なコントローラを用い、そのコントローラを第１のコントローラとして、第１のコントローラとソースドライバ１２およびゲートドライバ１３との間に、第２のコントローラを設置し、第２のコントローラが、第１のコントローラが出力するＭ信号（選択期間毎に反転するＭ信号）を、上記のデータテーブルにもとづくＭ信号に変換するように構成してもよい。
【００３５】
また、コントローラ１１として、ライン反転駆動法を用いて液晶表示パネル１０を駆動する一般的なコントローラを用い、ソースドライバ１２およびゲートドライバ１３に上記のデータテーブルを内蔵し、ソースドライバ１２およびゲートドライバ１３が、コントローラ１１が出力するＭ信号（選択期間毎に反転するＭ信号）を、上記のデータテーブルにもとづいて変換するように構成することも可能である。そのように構成される場合には、Ｎの領域のうちのｍ（１≦ｍ＜Ｎ）の領域をライン反転駆動法で駆動させ、他の（Ｎ−ｍ）の領域をフレーム反転駆動法で駆動させることを指示する制御回路が、ソースドライバ１２およびゲートドライバ１３に内蔵されることになる。
【００３６】
図６〜図８に駆動波形例を示す。図６〜図８でも、Ｎ＝３すなわち表示領域が３分割され、表示領域におけるライン反転領域の位置が２フレームが経過すると変えられる場合の例が示されている。図６〜図８ににおいて、実線はデータ電圧（図においてソース電圧として示す。）の極性を示し、点線はコモン電圧を示す。また、図６〜図８には、選択電圧（図においてゲートとして示す。）の例も示されている。
【００３７】
上記の実施の形態では、表示領域がＮ個の領域に分けられ、Ｎ個の領域のうちのｍ個の領域がライン反転駆動法で駆動され、（Ｎ−ｍ）個の領域がフレーム反転駆動法で駆動されるので、消費電力を、表示領域全てをライン反転駆動法で駆動する場合に比べて、ｍ／Ｎに近づけることができる。すなわち、消費電力を低減することができる。また、ライン反転駆動法で駆動したときのクロストークをフレーム反転駆動法で駆動したときに比べて極めて小さいとすると、表示領域全てをフレーム反転駆動法で駆動する場合に比べて、クロストークの程度を（Ｎ−ｍ）／Ｎに下げることができ、全体的な表示品位を上げることができる。さらに、振り筋の発生の程度を、表示領域全てをライン反転駆動法で駆動する場合に比べて、ｍ／Ｎに低下させることができ、違和感を低減させた液晶表示装置を得ることができる。
【００３８】
なお、Ｎの値に対してｍの値が極めて小さいと消費電力が大幅に低減されるが、表示品位はそれほど向上しない。そこで、ｍは、消費電力の低減の方を重視する場合には、Ｎの値に対して５０％以下、例えば１０〜３０％の範囲で選定されることが好ましい。また、液晶表示パネル１０のサイズとして携帯機器に搭載するのに適するＱＶＧＡを想定すると、Ｎは３〜１０程度に選定される。ただし、本発明は、ＱＶＧＡよりも広いサイズの表示領域を有する液晶表示パネルを用いる場合にも適用することができる。
【００３９】
また、上記の実施の形態では、アクティブマトリクス型の液晶表示パネル１０を用いる場合を例にしたが、ＳＴＮ液晶表示パネルなどパッシブマトリクス型の液晶表示パネルを用いる場合でも本発明を適用することができる。
【産業上の利用可能性】
【００４０】
本発明は、特に消費電力の低減が求められる機器に搭載される液晶表示パネルに適用する場合に有用である。
【図面の簡単な説明】
【００４１】
【図１】本発明の概念を説明するための説明図。
【図２】本発明の概念をより詳しく説明するための説明図。
【図３】本発明による駆動法を実現するための駆動回路の一構成例を示すブロック図。
【図４】各フレームにおける各選択期間のＭ信号の極性の一例を示す説明図。
【図５】コントローラの動作を示すフローチャート。
【図６】駆動波形例を示すタイミング図。
【図７】駆動波形例を示すタイミング図。
【図８】駆動波形例を示すタイミング図。
【符号の説明】
【００４２】
１０    液晶表示パネル
１１    コントローラ
１２    ソースドライバ
１３    ゲートドライバ
１４    電源回路
１３１  コモン電圧出力部
【図１】
2005338462.tif 000003
【図２】
2005338462.tif 000004
【図３】
2005338462.tif 000005
【図４】
2005338462.tif 000006
【図５】
2005338462.tif 000007
【図６】
2005338462.tif 000008
【図７】
2005338462.tif 000009
【図８】
2005338462.tif 000010